(57)【要約】      （修正有）【課題】垂直方向にシートよりポストにかかり、各脚架に分散される重量を軽減し、各脚架の亀裂を防止し、椅子の使用寿命を延長できる椅子の脚装置の提供。【解決手段】椅子のシート下方に直立するポスト２３が連結され、該ポストの下方に脚２４が連結され、該脚が該ポストと連結するための嵌合部２４１を具え、該嵌合部の外周に輻射状に外向きに複数の脚架２４２が延伸され、各脚架の端部下方にキャスタが取付られ、そのうち、椅子の嵌合部の下方に直立する柱体２４４が延伸設置され、並びに該柱体の下方に地面に接触するキャスタが設けられた。【選択図】図５
0003136868.tif 000002
【実用新案登録請求の範囲】
【請求項１】
椅子の脚装置であって、該椅子はシートの下方に直立するポストが固定され、該ポストの下方に脚が連結され、該脚が該ポストとの連結のための嵌合部を具え、該嵌合部の外周に外向きに延伸された複数の脚架が設けられ、各脚架の外端部下方にキャスタが取付られ、可動式椅子とされた、椅子の脚装置において、該脚の嵌合部の下方に地面に当接する支持部品が設けられたことを特徴とする、椅子の脚装置。
【請求項２】
請求項１記載の椅子の脚装置において、該支持部品が３６０度自由回転可能なキャスタ或いは耐磨耗のパッドとされたことを特徴とする、椅子の脚装置。
【請求項３】
請求項１記載の椅子の脚装置において、該脚の嵌合部の下方に直立する柱体が延伸され、該柱体の下方に地面に接触する支持部品が設けられたことを特徴とする、椅子の脚装置。
【請求項４】
請求項３記載の椅子の脚装置において、該柱体は脚の製造成型時に直接一体成型されたものであることを特徴とする、椅子の脚装置。
【請求項５】
請求項３記載の椅子の脚装置において、該柱体はポストの中心軸線上を下向きに延伸され、直接ポストにかかる重量を受けることを特徴とする、椅子の脚装置。
【請求項６】
請求項３記載の椅子の脚装置において、該柱体の内部に高強度のバネが嵌合され、該バネの上方端部が嵌合部の周囲に当接することを特徴とする、椅子の脚装置。
【請求項７】
請求項６記載の椅子の脚装置において、該柱体の上方に脚の上方より挿通されたボルトがねじ込まれたことを特徴とする、椅子の脚装置。
【請求項８】
椅子の脚装置であって、該椅子はシートの下方に直立するポストが固定され、該ポストの下方に脚が連結され、該脚が該ポストとの連結のための嵌合部を具え、該嵌合部の外周に外向きに延伸された複数の脚架が設けられ、各脚架の外端部下方にパッドが取付られ、固定式椅子とされた、椅子の脚装置において、該脚の嵌合部の下方に地面に当接する支持部品が設けられたことを特徴とする、椅子の脚装置。
【請求項９】
請求項８記載の椅子の脚装置において、該支持部品が３６０度自由回転可能なキャスタ或いは耐磨耗のパッドとされたことを特徴とする、椅子の脚装置。
【請求項１０】
請求項８記載の椅子の脚装置において、該脚の嵌合部の下方に直立する柱体が延伸され、該柱体の下方に地面に接触する支持部品が設けられたことを特徴とする、椅子の脚装置。
【請求項１１】
請求項１０記載の椅子の脚装置において、該柱体は脚の製造成型時に直接一体成型されたものであることを特徴とする、椅子の脚装置。
【請求項１２】
請求項１０記載の椅子の脚装置において、該柱体はポストの中心軸線上を下向きに延伸され、直接ポストにかかる重量を受けることを特徴とする、椅子の脚装置。
【請求項１３】
請求項１０記載の椅子の脚装置において、該柱体の内部に高強度のバネが嵌合され、該バネの上方端部が嵌合部の周囲に当接することを特徴とする、椅子の脚装置。
【請求項１４】
請求項１３記載の椅子の脚装置において、該柱体の上方に脚の上方より挿通されたボルトがねじ込まれたことを特徴とする、椅子の脚装置。
【考案の詳細な説明】
【技術分野】
【０００１】
本考案は椅子の各脚架の分担する負荷を軽減でき、各脚架の亀裂を防止し、使用上の安全性を確保し、使用寿命を延長できる椅子の脚装置に関する。
【背景技術】
【０００２】
図１を参照されたい。現在各オフィスで目にする椅子は、シート１０の上方に軟質のクッション１１が設けられ、並びに側辺に背もたれ１２が連結され、使用者が快適に座ることができ、またシート１０の下方の中心位置に直立するポスト１３が連結され、該ポスト１３は一般には昇降が回転調整されるスクリュー或いは気圧で昇降を制御する気圧棒とされ、シート１０の上方の重量は該ポスト１３に集中して伝わり、該ポスト１３の下方に脚１４が連結される。脚１４がポスト１３の重量をしっかりと支えられるように、脚１４には輻射状に外向きに延伸された複数の脚架１４１が設けられ、さらに脚架１４１の下方にキャスタ１４２が取付られ、受力面積を増す方式により、脚１４がしっかりと上方の重量を受け止めて、椅子の傾倒、転倒が防止される。図２を参照されたい。脚１４の各脚架１４１がポスト１３の中心軸より外向きに延伸される時、受力面積を増して安定してシートを支持でき、各脚架１４１の一端は下方のキャスタ１４２を支点とし、もう一端はポスト１３の下圧力を受けて湾曲し、且つ脚架１４１が長くなるほど湾曲の力のモーメントは大きくなり、脚架１４１の亀裂、切断を形成しやすくなる。湾曲が１０ｍｍを超えると、脚架１４１に亀裂が発生し、使用者に怪我をさせやすく、特に子供、老人或いは妊婦は注意しなければならない。脚架１４１の亀裂、切断を防止するため、一般に脚１４の破断試験では１２００ポンド〜１６００ポンドの重量に耐えられなければならず、試験に合格するため、脚１４は厚さを増し、補強リブを増設するほか、ポリアミド繊維のプラスチック材料で製造しなければならず、このような厳格な要求は材料のコストを増すほか、現在の物価高騰のおり、全体の製造コストを増すにも関わらず、完全に脚架１４１の亀裂切断の発生を防止することはできない。このため材料コストの因子を考慮せずに、既存の椅子の脚１４の構造を改良し、使用上の安全性を確保しなければならない。
【考案の開示】
【考案が解決しようとする課題】
【０００３】
本考案は各脚架の亀裂、切断を発生しにくく、使用の安全性を確保し使用寿命を延長する椅子の脚の構造を提供し、周知の技術の欠点を大幅に改善することを目的とする。
【課題を解決するための手段】
【０００４】
請求項１の考案は、椅子の脚装置であって、該椅子はシートの下方に直立するポストが固定され、該ポストの下方に脚が連結され、該脚が該ポストとの連結のための嵌合部を具え、該嵌合部の外周に外向きに延伸された複数の脚架が設けられ、各脚架の外端部下方にキャスタが取付られ、可動式椅子とされた、椅子の脚装置において、該脚の嵌合部の下方に地面に当接する支持部品が設けられたことを特徴とする、椅子の脚装置としている。
請求項２の考案は、請求項１記載の椅子の脚装置において、該支持部品が３６０度自由回転可能なキャスタ或いは耐磨耗のパッドとされたことを特徴とする、椅子の脚装置としている。
請求項３の考案は、請求項１記載の椅子の脚装置において、該脚の嵌合部の下方に直立する柱体が延伸され、該柱体の下方に地面に接触する支持部品が設けられたことを特徴とする、椅子の脚装置としている。
請求項４の考案は、請求項３記載の椅子の脚装置において、該柱体は脚の製造成型時に直接一体成型されたものであることを特徴とする、椅子の脚装置としている。
請求項５の考案は、請求項３記載の椅子の脚装置において、該柱体はポストの中心軸線上を下向きに延伸され、直接ポストにかかる重量を受けることを特徴とする、椅子の脚装置としている。
請求項６の考案は、請求項３記載の椅子の脚装置において、該柱体の内部に高強度のバネが嵌合され、該バネの上方端部が嵌合部の周囲に当接することを特徴とする、椅子の脚装置としている。
請求項７の考案は、請求項６記載の椅子の脚装置において、該柱体の上方に脚の上方より挿通されたボルトがねじ込まれたことを特徴とする、椅子の脚装置としている。
請求項８の考案は、椅子の脚装置であって、該椅子はシートの下方に直立するポストが固定され、該ポストの下方に脚が連結され、該脚が該ポストとの連結のための嵌合部を具え、該嵌合部の外周に外向きに延伸された複数の脚架が設けられ、各脚架の外端部下方にパッドが取付られ、固定式椅子とされた、椅子の脚装置において、該脚の嵌合部の下方に地面に当接する支持部品が設けられたことを特徴とする、椅子の脚装置としている。
請求項９の考案は、請求項８記載の椅子の脚装置において、該支持部品が３６０度自由回転可能なキャスタ或いは耐磨耗のパッドとされたことを特徴とする、椅子の脚装置としている。
請求項１０の考案は、請求項８記載の椅子の脚装置において、該脚の嵌合部の下方に直立する柱体が延伸され、該柱体の下方に地面に接触する支持部品が設けられたことを特徴とする、椅子の脚装置としている。
請求項１１の考案は、請求項１０記載の椅子の脚装置において、該柱体は脚の製造成型時に直接一体成型されたものであることを特徴とする、椅子の脚装置としている。
請求項１２の考案は、請求項１０記載の椅子の脚装置において、該柱体はポストの中心軸線上を下向きに延伸され、直接ポストにかかる重量を受けることを特徴とする、椅子の脚装置としている。
請求項１３の考案は、請求項１０記載の椅子の脚装置において、該柱体の内部に高強度のバネが嵌合され、該バネの上方端部が嵌合部の周囲に当接することを特徴とする、椅子の脚装置としている。
請求項１４の考案は、請求項１３記載の椅子の脚装置において、該柱体の上方に脚の上方より挿通されたボルトがねじ込まれたことを特徴とする、椅子の脚装置としている。
【考案の効果】
【０００５】
本考案は、一種の椅子の脚装置を提供し、それは椅子の脚に嵌合部を設けてシート上方の重量を支持するポストを連結し、該嵌合部の周囲に輻射状に外向きに延伸された複数の脚架を設け、並びに脚架の端部下方にキャスタを装着し、そのうち、脚の嵌合部の下方に直立する柱体が延伸され、並びに該椅子の嵌合部の下方に直立する柱体が延伸設置され、並びに該柱体の下方に地面に接触するキャスタが設けられ、該柱体とそれに結合されたキャスタにより垂直方向にシートよりポストにかかり、各脚架に分散される重量を軽減し、各脚架の亀裂を防止し、椅子の使用寿命を延長できる。
【０００６】
本考案はまた、一種の椅子の脚装置を提供し、それは椅子の脚の嵌合部の下方に直立する柱体が延伸され、並びに該柱体の下方に地面に接触するキャスタが設けられ、これにより外周の各脚架が分担する負荷を軽減し、これにより脚をポリプロピレンで製造可能とし、大幅に材料コストを減らし、これにより使用の安全を確保しつつ、有効に製造コストを削減し、優れたコストパフォーマンスを実現する。
【０００７】
本考案はさらに、一種の椅子の脚装置を提供し、それは脚の嵌合部下方に直立した柱体が延伸され、該柱体に圧縮バネが取付られて該圧縮バネが該ポストに伝わる重量の一部を吸収し、これにより柱体及び下方のキャスタが更に安定した支持が行なえる。
【考案を実施するための最良の形態】
【０００８】
図３、４を参照されたい。本考案を運用した椅子はシート２０の上方に軟質のクッション２１が設けられ、並びに側辺に背もたれ２２が連結され、使用者が快適に座れるものとされる。また、シート２０の下方の中心位置に直立するポスト２３が固定され、該ポスト２３は一般には昇降が回転調整可能なスクリュー或いは気圧で昇降が制御される気圧棒とされ、これによりシート２０上方の重量が集中して該ポスト２３に伝わり、並びに該ポスト２３により上方の重量が支持される。該ポスト２３の下方には脚２４が連結され、該脚２４は該ポスト２３との連結のための嵌合部２４１を具え、脚２４がポスト２３から受ける重量をしっかりと支持できるように、脚２４の嵌合部２４１の周囲に輻射状に外向きに延伸された複数の脚架２４２が設けられ、並びに各脚架２４２の外端部下方に３６０度自由回転可能なキャスタ２４３が取付られる。そのうち、脚２４の嵌合部２４１下方に直立する柱体２４４が延伸され（柱体２４４は脚２４の製造時に直接一体成型されうる）、並びに該柱体２４４の下方に地面に抵触する支持部品２４５が設けられ、該支持部品２４５は一般には３６０度自由回転可能なキャスタ或いは耐磨耗性のパッドとされる。
【０００９】
図５を参照されたい。シート２０の上方の重量が下圧する時、その下圧の重量は集中してポスト２３に伝わり、本考案の柱体２４４は下向きにポスト２３の中心軸線上を延伸され、これによりポスト２３にかかる重量を直接に受けることができ、且つ湾曲の力のモーメントを発生せず、更に、地面に当接する下方の支持部品２４５が重量を垂直に地面に伝え、柱体２４４及び支持部品２４５がポスト２３から伝えられる重量のほとんどの部分を受けるため、周囲の輻射状に外向きに延伸される複数の脚架２４２にかかる負荷は大幅に軽減され、僅かに傾倒防止する支持補助の作用を提供するだけであり、ゆえに脚２４の材料に高強度で高額のポリアミド繊維材料を使用する必要がなくなり、価格が低いポリプロピレンを使用して製造できるため、大幅に材料コストを減らせ、これにより使用上の安全性を確保しつつ、有効に製造コストを削減し、効果的なコストパフォーマンスを実現できる。
【００１０】
図６、７を参照されたい。本考案の脚２４の嵌合部２４１の下方に延伸設置された柱体２４４は、その内部に高強度のバネ２４６を装着でき、並びに該バネ２４６の上方端部が嵌合部２４１の周側に当接し、該柱体２４４上方は上から脚２４を貫通するボルト２４７でさらに固定可能で、柱体２４４下方に地面に当接する支持部品２４５が設けられ、該バネ２４６がポスト２３に伝わる重量の一部を吸収し、柱体２４４と下方の支持部品２４５がさらに強固に支持される。
【００１１】
図８、９を参照されたい。もう一種の椅子の脚２４の脚架２４２の外端部下方にはパッド２４８が取り付けられ、椅子が自由にスライドしないものとされ、固定式の椅子とされ、本考案はこの脚２４の嵌合部２４１の下方に直立する柱体２４４が延伸設置され、並びに柱体２４４の下方に地面に当接する支持部品２４５が設けられ、該支持部品２４５は３６０度の自由回転のキャスタ或いは耐磨耗性のパッドとされ得て、この実施例でも各脚架２４２は亀裂、切断を発生しにくく、使用の安全性を確保し、使用寿命を延長できる。
本考案は使用の安全性を確保し使用寿命を延長できるのみならず、使用の安全性を確保しながら製造コストを削減でき、優れたコストパフォーマンスを実現でき、優れた実用性と進歩性を有し、その出願前に同一或いは類似の製品は市場になく、またその出願前に頒布された刊行物にも同一或いは類似の製品の記載はないため新規性を具備している。
【図面の簡単な説明】
【００１２】
【図１】周知の椅子の外観図である。
【図２】周知の椅子の断面図である。
【図３】本考案の分解図である。
【図４】本考案の組合せ表示図である。
【図５】本考案の断面図である。
【図６】本考案の別の実施例の分解図である。
【図７】本考案の別の実施例の断面図である。
【図８】本考案のまた別の実施例の分解図である。
【図９】本考案のまた別の実施例の組合せ表示図である。
【符号の説明】
【００１３】
１０  シート          １１  クッション          １２  背もたれ
１３  ポスト
１４  脚
１４１  脚架          １４２  キャスタ
２０  シート          ２１  クッション          ２２  背もたれ
２３  ポスト
２４  脚
２４１  嵌合部        ２４２  脚架              ２４３  キャスタ
２４４  柱体          ２４５  支持部品          ２４６  バネ
２４７  ボルト        ２４８  パッド
【図１】
0003136868.tif 000003
【図２】
0003136868.tif 000004
【図３】
0003136868.tif 000005
【図４】
0003136868.tif 000006
【図５】
0003136868.tif 000007
【図６】
0003136868.tif 000008
【図７】
0003136868.tif 000009
【図８】
0003136868.tif 000010
【図９】
0003136868.tif 000011